(57)【要約】【課題】良好な反射防止特性を有し、表示品質を向上させることが可能な反射防止偏光板と、それを用いた装置とを提供する。【解決手段】ディスプレイパネルと、前記ディスプレイパネルの一側面上に配置された偏光子と、前記ディスプレイパネルと前記偏光子との間に配置された広帯域４分の１波長板とを備え、前記広帯域４分の１波長板は、２分の１波長板と、４分の１波長板とを有し、該２分の１波長板と該４分の１波長板とは、ｎｘおよびｎｙを面内主屈折率、ｎｚを厚さ方向の屈折率とした場合、それぞれＮｚ＝（ｎｘ−ｎｚ）／（ｎｘ−ｎｙ）＝０．３〜０．８の関係を満足している。【選択図】図５
2006259694.tif 000002
【特許請求の範囲】
【請求項１】
ディスプレイパネルと、
前記ディスプレイパネルの一側面上に配置された偏光子と、
前記ディスプレイパネルと前記偏光子との間に配置された広帯域４分の１波長板とを備え、
前記広帯域４分の１波長板は、２分の１波長板と、４分の１波長板とを有し、
該２分の１波長板と該４分の１波長板とは、ｎｘおよびｎｙを面内主屈折率、ｎｚを厚さ方向の屈折率とした場合、それぞれＮｚ＝（ｎｘ−ｎｚ）／（ｎｘ−ｎｙ）＝０．３〜０．８の関係を満足していることを特徴とする、表示装置。
【請求項２】
ｎｘ≠ｎｙ≠ｎｚである、請求項１の表示装置。
【請求項３】
前記２分の１波長板と前記４分の１波長板とが、Ｎｚ＝（ｎｘ−ｎｚ）／（ｎｘ−ｎｙ）＝０．５の関係を満足している、請求項１または２の表示装置。
【請求項４】
前記ディスプレイパネルが、液晶ディスプレイパネル、有機エレクトロルミネセンスディスプレイパネル、プラズマディスプレイパネル、および電界放射ディスプレイパネルからなる群から選ばれる、請求項１乃至３のいずれかの表示装置。
【請求項５】
前記偏光子が、前記ディスプレイパネルの水平方向に対して略平行な吸収軸を有している、請求項１乃至４のいずれかの表示装置。
【請求項６】
前記偏光子の透過軸と前記２分の１波長板の軸との間に夾角θを有し、且つ前記偏光子の前記透過軸と前記４分の１波長板の軸との間に夾角（２θ＋４５）を有している、請求項１乃至５のいずれかの表示装置。
【請求項７】
前記２分の１波長板が、前記偏光子と前記４分の１波長板との間に挟まれ、且つ前記４分の１波長板が、前記２分の１波長板と前記ディスプレイパネルとの間に挟まれている、請求項１乃至６のいずれかの表示装置。
【請求項８】
偏光子と、
前記偏光子上に配置された広帯域４分の１波長板とを備え、
前記広帯域４分の１波長板は、２分の１波長板と、４分の１波長板とを有し、
該２分の１波長板と該４分の１波長板とは、ｎｘおよびｎｙを面内主屈折率、ｎｚを厚さ方向の屈折率とした場合、それぞれＮｚ＝（ｎｘ−ｎｚ）／（ｎｘ−ｎｙ）＝０．３〜０．８の関係を満足していることを特徴とする、偏光板。
【請求項９】
ｎｘ≠ｎｙ≠ｎｚである、請求項８の偏光板。
【請求項１０】
前記２分の１波長板と前記４分の１波長板とが、Ｎｚ＝（ｎｘ−ｎｚ）／（ｎｘ−ｎｙ）＝０．５の関係を満足している、請求項８または９の偏光板。
【請求項１１】
前記偏光子の透過軸と前記２分の１波長板の軸との間に夾角θを有し、且つ前記偏光子の前記透過軸と前記４分の１波長板の軸との間に夾角（２θ＋４５）を有している、請求項８乃至１０のいずれかの偏光板。
【請求項１２】
２分の１波長板と、
４分の１波長板とを備え、
前記２分の１波長板と前記４分の１波長板とは、互いにラミネートされ、且つ、ｎｘおよびｎｙを面内主屈折率、ｎｚを厚さ方向の屈折率とした場合、それぞれＮｚ＝（ｎｘ−ｎｚ）／（ｎｘ−ｎｙ）＝０．３〜０．８の関係を満足していることを特徴とする、広帯域４分の１波長板。
【請求項１３】
ｎｘ≠ｎｙ≠ｎｚである、請求項１２の広帯域４分の１波長板。
【請求項１４】
前記２分の１波長板と前記４分の１波長板とが、Ｎｚ＝（ｎｘ−ｎｚ）／（ｎｘ−ｎｙ）＝０．５の関係を満足している、請求項１２または１３の広帯域４分の１波長板。
【請求項１５】
表示装置と、
前記表示装置と電気的に結合された制御装置と、
前記表示装置上に画像を表示すべく、前記制御装置と電気的に結合された入力装置とを備え、
前記表示装置は、
ディスプレイパネルと、
前記ディスプレイパネルの一側面上に配置された偏光子と、
前記ディスプレイパネルと前記偏光子との間に配置された広帯域４分の１波長板とを備え、
前記広帯域４分の１波長板は、２分の１波長板と、４分の１波長板とを有し、
該２分の１波長板と該４分の１波長板とは、ｎｘおよびｎｙを面内主屈折率、ｎｚを厚さ方向の屈折率とした場合、それぞれＮｚ＝（ｎｘ−ｎｚ）／（ｎｘ−ｎｙ）＝０．３〜０．８の関係を満足していることを特徴とする、電子装置。
【請求項１６】
ｎｘ≠ｎｙ≠ｎｚである、請求項１５の電子装置。
【請求項１７】
前記２分の１波長板と前記４分の１波長板とが、Ｎｚ＝（ｎｘ−ｎｚ）／（ｎｘ−ｎｙ）＝０．５の関係を満足している、請求項１５または１６の電子装置。
【請求項１８】
前記偏光子が、前記ディスプレイパネルの水平方向に対して略平行な吸収軸を有している、請求項１５乃至１７のいずれかの電子装置。
【請求項１９】
前記偏光子の透過軸と前記２分の１波長板の軸との間に夾角θを有し、且つ前記偏光子の前記透過軸と前記４分の１波長板の軸との間に夾角（２θ＋４５）を有している、請求項１５乃至１８のいずれかの電子装置。
【請求項２０】
前記２分の１波長板が、前記偏光子と前記４分の１波長板との間に挟まれ、且つ前記４分の１波長板が、前記２分の１波長板と前記ディスプレイパネルとの間に挟まれている、請求項１５乃至１９のいずれかの電子装置。
【発明の詳細な説明】
【技術分野】
【０００１】
本発明は、光学板とそれを用いた表示装置とに関し、さらに詳細には、反射防止偏光板、広帯域４分の１波長板、および広視野角（ＷＶＡ）反射防止表示装置と、それを用いた電子装置とに関する。
【背景技術】
【０００２】
光を発する表示装置としては、有機エレクトロルミネセンス（ＯＥＬ）ディスプレイ、プラズマディスプレイおよび電界放出ディスプレイ等がある。また、光を透過または反射させる他の種類の表示装置としては、液晶ディスプレイ等がある。これらの両方の種類の表示装置では、表示部が明るく、且つ高コントラスト比を提示することが重要である。
【０００３】
表示部のコントラスト比は、該表示部の明状態と暗状態との比率であり、暗状態は、実際に適用されるすべての環境下で周辺光からの反射光によって左右される。この反射光により、視聴者は映像に重畳した周辺光の光源からの反射像を見ることになり、特定の角度によっては画像のコントラスト比を損ねることから、とりわけ気に障る。また、反射光は、表示された映像にコントラスト比を低下させるヘイズ（もや）を重畳させて、可視グレースケール領域を制限する。
【発明の開示】
【発明が解決しようとする課題】
【０００４】
図１は、反射光による干渉の問題を解消すべく偏光子と４分の１波長板とを用いた、従来の方法に係る表示装置の断面図である。図１に示すように、直線偏光子１０４と一軸性（ｕｎｉａｘｉａｌ）４分の１波長（λ／４）板１０２とが共にラミネートされて、反射性材料を有するディスプレイパネル１００の一側面上に設けられている。
【０００５】
周辺光１０６は、直線偏光子１０４に入射する際に偏光し、その偏光１０６は、一軸性４分の１波長板１０２を透過した際に円偏光する。その円偏光１０６は、ディスプレイパネル１００の反射性材料により反射して反転する。そして、該反射円偏光１０６は、一軸性４分の１波長板１０２へと反射して直線偏光子１０４により吸収される。これにより、周辺光１０６がディスプレイパネル１００から放射された有用な光と干渉することを防止している。ただし、この方法では、周辺光の内の緑色光は効果的に反射を防止することができるが、周辺光の赤色光および青色光に対しては効果的に反射防止することができない。
【０００６】
図２は、偏光子板と広帯域４分の１波長板とが用いられた、他の従来の表示装置の断面図である。図２に示すように、図１の表示装置と比較すると、一軸性２分の１波長（λ／２）板１０８が、直線偏光子１０４および一軸性４分の１波長板１０２とさらにラミネートされており、ここでは、その２分の１波長板１０８と４分の１波長板１０２とのラミネートは、広帯域４分の１波長板とも称される。
【０００７】
この方法では、通常の周辺白色光１０６ａ（赤色光、緑色光、青色光）については効果的に反射を防止できるが、ディスプレイパネル１００に対して斜めに入射する光１０６ｂについては直線偏光子１０４により完全に吸収することができない。これは、一軸性２分の１波長板１０８の軸と直線偏光子１０４の透過軸との夾角、および一軸性４分の１波長板１０２の軸と直線偏光子１０４の透過軸との夾角が、異なる角度で周辺光が表示装置に入射した際に変化することに起因する。そのため、図１および図２に示す表示装置は、共に斜光に対する反射防止特性に乏しいという不都合がある。
【０００８】
図３は、図１に示す表示装置の反射状態をシミュレートした図である。図４は、図２に示す表示装置の反射状態をシミュレートした図である。図３および図４に示すように、それら二つの表示装置の反射防止特性はそれぞれ悪いことが理解できる。その図３において、極角が５０°であってアジマス角が０°、９０°、１８０°および２７０°の領域の部分における反射比は０．０１よりも大きくなっている。図４においても同様に、極角が５０°であってアジマス角が０°、９０°、１８０°および２７０°の領域の部分における反射比は０．０１よりも大きくなってしまっている。
【０００９】
本発明は上記の点に鑑みてなされたものであり、その目的は、良好な反射防止特性を有し、表示品質を向上させることが可能な反射防止偏光板と、それを用いた装置とを提供することにある。
【課題を解決するための手段】
【００１０】
上記した課題を解決するために、本発明の表示装置は、ディスプレイパネルと、前記ディスプレイパネルの一側面上に配置された偏光子と、前記ディスプレイパネルと前記偏光子との間に配置された広帯域４分の１波長板とを備え、前記広帯域４分の１波長板は、２分の１波長板と、４分の１波長板とを有し、該２分の１波長板と該４分の１波長板とは、ｎｘおよびｎｙを面内主屈折率、ｎｚを厚さ方向の屈折率とした場合、それぞれＮｚ＝（ｎｘ−ｎｚ）／（ｎｘ−ｎｙ）＝０．３〜０．８の関係を満足していることを特徴とする。
【００１１】
以下は、本発明の表示装置の好適な実施形態（１）〜（６）である。相互に矛盾が生じない限り、これらの組み合わせは本発明の好適な実施形態のうちの一つである。
【００１２】
（１）ｎｘ≠ｎｙ≠ｎｚである。
【００１３】
（２）前記２分の１波長板と前記４分の１波長板とが、Ｎｚ＝（ｎｘ−ｎｚ）／（ｎｘ−ｎｙ）＝０．５の関係を満足している。
【００１４】
（３）前記ディスプレイパネルが、液晶ディスプレイパネル、有機エレクトロルミネセンスディスプレイパネル、プラズマディスプレイパネル、および電界放射ディスプレイパネルからなる群から選ばれる。
【００１５】
（４）前記偏光子が、前記ディスプレイパネルの水平方向に対して略平行な吸収軸を有している。
【００１６】
（５）前記偏光子の透過軸と前記２分の１波長板の軸との間に夾角θを有し、且つ前記偏光子の前記透過軸と前記４分の１波長板の軸との間に夾角（２θ＋４５）を有している。
【００１７】
（６）前記２分の１波長板が、前記偏光子と前記４分の１波長板との間に挟まれ、且つ前記４分の１波長板が、前記２分の１波長板と前記ディスプレイパネルとの間に挟まれている。
【００１８】
また、上記した課題を解決するために、本発明の偏光板は、偏光子と、前記偏光子上に配置された広帯域４分の１波長板とを備え、前記広帯域４分の１波長板は、２分の１波長板と、４分の１波長板とを有し、該２分の１波長板と該４分の１波長板とは、ｎｘおよびｎｙを面内主屈折率、ｎｚを厚さ方向の屈折率とした場合、それぞれＮｚ＝（ｎｘ−ｎｚ）／（ｎｘ−ｎｙ）＝０．３〜０．８の関係を満足していることを特徴とする。
【００１９】
以下は、本発明の偏光板の好適な実施形態（１）〜（３）である。相互に矛盾が生じない限り、これらの組み合わせは本発明の好適な実施形態のうちの一つである。
【００２０】
（１）ｎｘ≠ｎｙ≠ｎｚである。
【００２１】
（２）前記２分の１波長板と前記４分の１波長板とが、Ｎｚ＝（ｎｘ−ｎｚ）／（ｎｘ−ｎｙ）＝０．５の関係を満足している。
【００２２】
（３）前記偏光子の透過軸と前記２分の１波長板の軸との間に夾角θを有し、且つ前記偏光子の前記透過軸と前記４分の１波長板の軸との間に夾角（２θ＋４５）を有している。
【００２３】
また、上記した課題を解決するために、本発明の広帯域４分の１波長板は、２分の１波長板と、４分の１波長板とを備え、前記２分の１波長板と前記４分の１波長板とは、互いにラミネートされ、且つ、ｎｘおよびｎｙを面内主屈折率、ｎｚを厚さ方向の屈折率とした場合、それぞれＮｚ＝（ｎｘ−ｎｚ）／（ｎｘ−ｎｙ）＝０．３〜０．８の関係を満足していることを特徴とする。
【００２４】
以下は、本発明の４分の１波長板の好適な実施形態（１）〜（２）である。相互に矛盾が生じない限り、これらの組み合わせは本発明の好適な実施形態のうちの一つである。
【００２５】
（１）ｎｘ≠ｎｙ≠ｎｚである。
【００２６】
（２）前記２分の１波長板と前記４分の１波長板とが、Ｎｚ＝（ｎｘ−ｎｚ）／（ｎｘ−ｎｙ）＝０．５の関係を満足している。
【００２７】
また、上記した課題を解決するために、本発明の電子装置は、表示装置と、前記表示装置と電気的に結合された制御装置と、前記表示装置上に画像を表示すべく、前記制御装置と電気的に結合された入力装置とを備え、前記表示装置は、ディスプレイパネルと、前記ディスプレイパネルの一側面上に配置された偏光子と、前記ディスプレイパネルと前記偏光子との間に配置された広帯域４分の１波長板とを備え、前記広帯域４分の１波長板は、２分の１波長板と、４分の１波長板とを有し、該２分の１波長板と該４分の１波長板とは、ｎｘおよびｎｙを面内主屈折率、ｎｚを厚さ方向の屈折率とした場合、それぞれＮｚ＝（ｎｘ−ｎｚ）／（ｎｘ−ｎｙ）＝０．３〜０．８の関係を満足していることを特徴とする。
【００２８】
以下は、本発明の電子装置の好適な実施形態（１）〜（５）である。相互に矛盾が生じない限り、これらの組み合わせは本発明の好適な実施形態のうちの一つである。
【００２９】
（１）ｎｘ≠ｎｙ≠ｎｚである。
【００３０】
（２）前記２分の１波長板と前記４分の１波長板とが、Ｎｚ＝（ｎｘ−ｎｚ）／（ｎｘ−ｎｙ）＝０．５の関係を満足している。
【００３１】
（３）前記偏光子が、前記ディスプレイパネルの水平方向に対して略平行な吸収軸を有している。
【００３２】
（４）前記偏光子の透過軸と前記２分の１波長板の軸との間に夾角θを有し、且つ前記偏光子の前記透過軸と前記４分の１波長板の軸との間に夾角（２θ＋４５）を有している。
【００３３】
（５）前記２分の１波長板が、前記偏光子と前記４分の１波長板との間に挟まれ、且つ前記４分の１波長板が、前記２分の１波長板と前記ディスプレイパネルとの間に挟まれている。
【００３４】
本発明のその他の利点は、以下の実施例にて部分的に説明され、それは実施例から明らかとなるか、もしくは発明を実行することにより理解することができる。また、本発明の利点は、添付された特許請求の範囲に特に記載された要素および組み合わせにより実現・獲得することができる。
【発明の効果】
【００３５】
本発明では、それぞれＮｚ＝（ｎｘ−ｎｚ）／（ｎｘ−ｎｙ）＝０．３〜０．８の関係を満足する４分の１波長板と、２分の１波長板とを備えている。そのため、いかなる角度で表示装置に入射する周辺光も、前記４分の１波長板、前記２分の１波長板および前記偏光子により効果的に吸収される。したがって、広角で良好な反射防止特性を得ることができる。
【００３６】
また、本発明は良好な反射防止特性を有しているので、明確なコントラストを有する。したがって、表示品質を向上させることができる。
【発明を実施するための最良の形態】
【００３７】
以下、本発明を図５乃至図８に示した実施例に沿って詳細に説明する。なお、添付図面は、本発明の一層の理解を可能とするために含めたものであり、同図面は、本明細書に組み込まれると同時に、本明細書の一部を構成している。そして図面は本発明の実施例を図示し、発明の詳細な説明と合まって、この発明の原理を説明する役割を果す。また、これらの図面中、同一乃至均等な構成部分については可能な限り同一の符号を用いている。
【実施例】
【００３８】
図５は、本発明の実施例に係る広視野角反射防止表示装置の断面図である。図５に示すように、広視野角反射防止表示装置は、少なくとも、ディスプレイパネル１００と、偏光子１０４と、４分の１波長板３０２および２分の１波長板３０４を有する広帯域４分の１波長板３００と、を備えている。
【００３９】
偏光子１０４は、ディスプレイパネル１００の一側面上に設けられている。広帯域４分の１波長板３００は、偏光子１０４とディスプレイパネル１００との間に挟まれている。本発明の一実施例では、偏光子１０４と、４分の１波長板３０２との間に、２分の１波長板３０４が挟まれている。
【００４０】
ディスプレイパネル１００は反射性材料を含んでいる。その反射性材料は、たとえば金属線（データ線、走査線等）、電極（ゲート電極、ソース／ドレイン電極、蓄積コンデンサ等）、あるいは他の反射膜（半導体膜等）等である。
【００４１】
また、ディスプレイパネル１００は、液晶ディスプレイ（ＬＣＤ）パネル、有機エレクトロルミネセンス（ＯＥＬ）ディスプレイパネル、プラズマディスプレイパネル、電界放射ディスプレイパネル等からなる群から選ばれる。
【００４２】
偏光子１０４は、例えば直線偏光子であり、４分の１波長板３０２は、例えば二軸性（ｂｉａｘｉａｌ）４分の１波長板である。２分の１波長板３０４は、例えば二軸性２分の１波長板である。
【００４３】
特に、２分の１波長板３０４と４分の１波長板３０２とは、ｎｘおよびｎｙが面内主屈折率、ｎｚが厚さ方向の屈折率、ｎｘ≠ｎｙ≠ｎｚとした場合、それぞれ、Ｎｚ＝（ｎｘ−ｎｚ）／（ｎｘ−ｎｙ）＝０．３〜０．８の関係を満足しており、好ましくはＮｚ＝０．３〜０．６である。
【００４４】
本発明の一実施例において、２分の１波長板３０４と４分の１波長板３０２とは、Ｎｚ＝（ｎｘ−ｎｚ）／（ｎｘ−ｎｙ）＝０．５の関係を満足している。これにより、表示部は好ましい反射防止効果および良好な広視野角を有している。
【００４５】
図５に示すように、通常の周辺光１０６ａは、直線偏光子１０４に入射する際に直線的に偏光する。その直線偏光１０６ａは、広帯域４分の１波長板３００に入射する際、その広帯域４分の１波長板３００によって、たとえば左円偏光等の円偏光に変化して、ディスプレイパネル１００へと透過する。その左円偏光は、ディスプレイパネル１００の反射性材料（金属線、電極あるいは反射膜等）により反射するとともに、反転して右円偏光となる。なお、一実施例において偏光が当初から右円偏光であった場合は、同様にして左円偏光となる。
【００４６】
その広帯域４分の１波長板３００へと反射した右円偏光は、再び円偏光して、直線偏光子１０４の透過軸に対して垂直に接近する軸を有する直線偏光となる。ここで、該直線偏光軸と透過軸との間の角度は、好ましくは８５°〜９０°である。このように、右円偏光と左円偏光とのいずれも、ディスプレイパネル１００において透過時および反射時に直線偏光子１０４により吸収されるので、それらがディスプレイパネル１００から放射された光信号と干渉することがない。
【００４７】
斜めから入射する周辺光１０６ｂも、ディスプレイパネル１００における透過および反射に際して通常の周辺光１０６ａと同様の態様で通過する。これは、２分の１波長板３０４と４分の１波長板３０２とは共に、Ｎｚ＝（ｎｘ−ｎｚ）／（ｎｘ−ｎｙ）＝０．３〜０．８、好ましくはＮｚ＝０．３〜０．６（ただし、ｎｘ≠ｎｙ≠ｎｚ）を満足しているので、光が表示装置内に斜めに入射してもそれらの軸が同じ配向に固定されているためである。以下、その配向について詳細に説明する。
【００４８】
図６Ａは、本発明の一実施例に係る表示装置を標準的に見た場合における、偏光子の偏光子軸、４分の１波長板、および２分の１波長板の配向相関を示す図である。
【００４９】
図６Ａに示すように、直線偏光子の透過軸４０２と２分の１波長板の軸４００との間には夾角θが存在し、且つ、その直線偏光子の透過軸４０２と４分の１波長板の軸４０４とは、その間に夾角（２θ＋４５）を有している。これにより、通常の周辺光は効果的に吸収される。したがって、直線偏光子１０４、４分の１波長板３０２および２分の１波長板３０４を有するラミネーション（図５参照）は、良好に反射を防止することができる。
【００５０】
図６Ｂは、本発明の一実施例に係る表示装置を斜めに見た場合における、偏光子軸、４分の１波長板、および２分の１波長板の配向相関を示す図である。
【００５１】
本発明の実施例に係る表示装置は、共にＮｚ＝（ｎｘ−ｎｚ）／（ｎｘ−ｎｙ）＝０．３〜０．８の関係を満足する２分の１波長板と４分の１波長板とを備えているので、周辺光が表示装置に対して斜めに入射した場合であっても、直線偏光子の透過軸４０２と２分の１波長板の軸４００との間に夾角θを有し、直線偏光子の透過軸４０２と４分の１波長板の軸４０４との間に夾角（２θ＋４５）を有している。そのため、直線偏光子１０４、４分の１波長板３０２および２分の１波長板３０４を有するラミネーション（図５参照）は、表示装置に斜めに入射する光に対しても良好に反射を防止することができる。
【００５２】
なお、直線偏光子１０４の吸収軸（図５参照）がディスプレイパネル１００の水平方向に対して略平行である場合、さらに反射の少ない良好な視認性・鮮明度を得ることができる。このため、本発明の実施例に係る表示装置は良好な反射防止特性および鮮明度を有するので、屋外環境でも使用することができる。
【００５３】
図７は、本発明の一実施例に係る図５の表示装置の反射状態をシミュレートした図である。図７に示すように、極角が８０°であってアジマス角が０°、９０°、１８０°および２７０°の領域の部分における反射比は、図１および図２に示す従来の表示装置と比較して、０．０１よりも小さくなっている。そのため、本発明の表示装置は、平均反射比が最大で約０．０１の良好な反射防止特性を有する。
【００５４】
このように、本発明に係る反射防止偏光板は、偏光子と、それぞれＮｚ＝（ｎｘ−ｎｚ）／（ｎｘ−ｎｙ）＝０．３〜０．８の関係を満足している、２分の１波長板および４分の１波長板とを備えている。したがって、該反射防止偏光板は、反射防止を必要とする表示装置や他の電子装置に適用されるべく広角で優れた反射防止を提供することができる。
【００５５】
図８は、本発明の実施例に係る電子装置を模式的に示す図である。該電子装置は、表示装置８０４と、制御装置８０２と、入力装置８０６とを備える。表示装置８０４は、図５に示す広視野角反射防止表示装置と同様であるので、その説明を省略する。
【００５６】
制御装置８０２は、表示装置８０４と電気的に結合している。また、制御装置８０２は、ソース駆動回路とゲート駆動回路（図示せず）とを備えており、入力に応じて表示装置８０４を制御し、画像を表示する。入力装置８０６は、制御装置８０２と電気的に結合しており、処理部等を備えて制御装置８０２に対しデータを入力することで、表示装置８０４上に画像を表示する。
【００５７】
さらに、広帯域４分の１波長板は、各々がＮｚ＝（ｎｘ−ｎｚ）／（ｎｘ−ｎｙ）＝０．３〜０．８の関係を満足する、２分の１波長板と４分の１波長板とを備えている。その広帯域４分の１波長板は、いかなる角度で光が該広帯域４分の１波長板を透過する際にもその軸配向は固定されている、新規な広帯域４分の１波長板である。その広帯域４分の１波長板が直線偏光子とラミネートされている場合、良好な反射防止特性を有することになる。
【００５８】
以上のように、本発明の表示装置と電子装置とは、それぞれＮｚ＝（ｎｘ−ｎｚ）／（ｎｘ−ｎｙ）＝０．３〜０．８の関係を満足する二軸性４分の１波長板と、二軸性２分の１波長板とを備えているので、いかなる角度で表示装置に入射する周辺光も、その二軸性４分の１波長板、二軸性２分の１波長板および直線偏光子を有するラミネーションにより効果的に吸収される。すなわち、本発明の表示装置および電子装置は、広角の反射防止特性を有している。
【００５９】
また、このように本発明の表示装置と電子装置とは広角の反射防止特性を有しているので、明確なコントラストを有することになり、表示品質を向上させることができる。
【００６０】
以上、本発明を例示的な実施例の観点から説明したが、当業者であれば、本発明の範囲または精神から逸脱することなく本発明の構成に対して様々な改良や変更が可能であることは容易に分かることである。上記記載の観点から、本発明はこの発明の改良や変更を包含することを意図しており、そのような改良や変更は、特許請求の範囲及びその均等物の範囲内に含まれる。
【図面の簡単な説明】
【００６１】
【図１】従来の表示装置を示す断面図。
【図２】他の従来の表示装置を示す断面図。
【図３】図１の表示装置の反射状態をシミュレートした図。
【図４】図２の表示装置の反射状態をシミュレートした図。
【図５】本発明の実施例に係る広視野角反射防止表示装置の断面図。
【図６Ａ】本発明の一実施例に係る表示装置を標準的に見た場合における、本発明の偏光子軸、４分の１波長板、および２分の１波長板の配向相関を示す図。
【図６Ｂ】本発明の一実施例に係る表示装置を斜めに見た場合における、本発明の偏光子軸、４分の１波長板、および２分の１波長板の配向相関を示す図。
【図７】図５の表示装置の反射状態をシミュレートした図。
【図８】本発明の実施例に係る電子装置を示す模式図。
【符号の説明】
【００６２】
１００  ディスプレイパネル
１０４  偏光子
３００  広帯域４分の１波長板
３０２  ４分の１波長板
３０４  ２分の１波長板
４００  ２分の１波長板の軸
４０２  偏光子の透過軸
４０４  ４分の１波長板の軸
８０２  制御装置
８０４  表示装置
８０６  入力装置
【図１】
2006259694.tif 000003
【図２】
2006259694.tif 000004
【図３】
2006259694.tif 000005
【図４】
2006259694.tif 000006
【図５】
2006259694.tif 000007
【図６Ａ】
2006259694.tif 000008
【図６Ｂ】
2006259694.tif 000009
【図７】
2006259694.tif 000010
【図８】
2006259694.tif 000011